(57)【特許請求の範囲】
【請求項１】
第１交流電圧を出力する第１端子及び第２端子の何れか一方と電気的に接続される第１入力端子と、
前記第１端子及び前記第２端子の他方と電気的に接続される第２入力端子と、
第２交流電圧を出力する第３端子及び第４端子の何れか一方と電気的に接続される第３入力端子と、
前記第３端子及び前記第４端子の他方と電気的に接続される第４入力端子と、
交流電圧を出力する第１出力端子及び第２出力端子と、
（ｉ）前記第１出力端子及び前記第２出力端子の間の電圧、並びに、（ｉｉ）前記第１入力端子及び前記第３入力端子の間の電圧、前記第１入力端子及び前記第４入力端子の間の電圧、並びに、前記第２入力端子及び前記第３入力端子の間の電圧、の少なくとも一方を測定する電圧測定部と、
前記第１入力端子、前記第２入力端子、前記第３入力端子及び前記第４入力端子と、前記第１出力端子及び前記第２出力端子との接続関係を切り替える多入力多出力スイッチと、
前記電圧測定部の測定結果に基づいて、前記第１出力端子及び前記第２出力端子の間の電圧が予め定められた条件を満足するように、前記多入力多出力スイッチを制御する制御部と、
を備える、交流電圧出力装置。
【請求項２】
前記予め定められた条件は、前記第１出力端子及び前記第２出力端子の間の電圧の最大値が、第１交流電圧又は第２交流電圧の最大値よりも大きいという条件を含む、
請求項１に記載の交流電圧出力装置。
【請求項３】
前記電圧測定部は、前記第１出力端子及び前記第２出力端子の間の電圧を測定し、
前記制御部は、
前記多入力多出力スイッチを制御して、前記第１出力端子及び前記第２出力端子の接続先を切り替えながら、前記電圧測定部により測定された前記第１出力端子及び前記第２出力端子の間の電圧が、前記予め定められた条件を満足するような一対の入力端子を決定する決定部を有する、
請求項１又は請求項２に記載の交流電圧出力装置。
【請求項４】
前記電圧測定部は、前記第１入力端子及び前記第３入力端子の間の電圧、前記第１入力端子及び前記第４入力端子の間の電圧、前記第２入力端子及び前記第３入力端子の間の電圧、並びに、前記第２入力端子及び前記第４入力端子の間の電圧を測定し、
前記制御部は、
前記電圧測定部の測定結果に基づいて、端子間電圧が最大となる一対の入力端子を決定する決定部と、
前記決定部が決定した一対の入力端子の一方を前記第１出力端子と接続し、前記決定部が決定した一対の入力端子の他方を前記第２出力端子と接続するための制御信号を生成する信号生成部と、
を有する、
請求項１又は請求項２に記載の交流電圧出力装置。
【請求項５】
第３出力端子をさらに備え、
前記多入力多出力スイッチは、前記第１入力端子、前記第２入力端子、前記第３入力端子及び前記第４入力端子と、前記第１出力端子、前記第２出力端子及び前記第３出力端子との接続関係を切り替える４入力３出力スイッチであり、
前記制御部は、前記第１入力端子、前記第２入力端子、前記第３入力端子及び前記第４入力端子のうち、前記一対の入力端子とは異なる２つの入力端子と、前記第３出力端子とが電気的に接続されるように、前記多入力多出力スイッチを制御する、
請求項３又は請求項４に記載の交流電圧出力装置。
【請求項６】
前記多入力多出力スイッチは、
前記第１出力端子と、前記第１入力端子及び前記第２入力端子の何れか一方とを電気的に接続する第１スイッチと、
前記第２出力端子と、前記第３入力端子及び前記第４入力端子の何れか一方とを電気的に接続する第２スイッチと、
を含む、
請求項１から請求項４までの何れか一項に記載の交流電圧出力装置。
【請求項７】
第３出力端子をさらに備え、
前記第１スイッチは、前記第３出力端子と、前記第１入力端子及び前記第２入力端子の他方とを電気的に接続し、
前記第２スイッチは、前記第３出力端子と、前記第３入力端子及び前記第４入力端子の他方とを電気的に接続する、
請求項６に記載の交流電圧出力装置。
【請求項８】
第１交流電圧を出力する第１接続器の第１端子及び第２端子の何れか一方と電気的に接続される第１入力端子と、
前記第１端子及び前記第２端子の他方と電気的に接続される第２入力端子と、
第２交流電圧を出力する第２接続器の第３端子及び第４端子の何れか一方と電気的に接続される第３入力端子と、
前記第３端子及び前記第４端子の他方と電気的に接続される第４入力端子と、
前記第１入力端子と電気的に接続される第１出力端子と、
前記第４入力端子と電気的に接続される第２出力端子と、
前記第１接続器を保持する第１保持部と、
前記第２接続器を保持する第２保持部と、
を備え、
前記第１接続器の特定の領域が前記第１保持部の第１位置に配されるように、前記第１保持部が前記第１接続器を保持している場合、前記第１端子と前記第１入力端子とが接続され、
前記第１接続器の前記特定の領域が前記第１保持部の第２位置に配されるように、前記第１保持部が前記第１接続器を保持している場合、前記第２端子と前記第１入力端子とが接続され、
前記第２接続器の特定の領域が前記第２保持部の第１位置に配されるように、前記第２保持部が前記第２接続器を保持している場合、前記第３端子と前記第４入力端子とが接続され、
前記第２接続器の前記特定の領域が前記第２保持部の第２位置に配されるように、前記第２保持部が前記第２接続器を保持している場合、前記第４端子と前記第４入力端子とが接続される、
交流電圧出力装置。
【請求項９】
（ｉ）前記第１出力端子及び前記第２出力端子の間の電圧、並びに、（ｉｉ）前記第１入力端子及び前記第３入力端子の間の電圧、前記第１入力端子及び前記第４入力端子の間の電圧、前記第２入力端子及び前記第３入力端子の間の電圧、並びに、前記第２入力端子及び前記第４入力端子の間の電圧、の少なくとも一方を測定する電圧測定部をさらに備える、
請求項８に記載の交流電圧出力装置。
【請求項１０】
前記電圧測定部による測定結果を表示する表示部をさらに備える、
請求項９に記載の交流電圧出力装置。
【請求項１１】
前記第２入力端子及び前記第３入力端子と電気的に接続される第３出力端子をさらに備え、
前記第１保持部は、
前記第１接続器の前記特定の領域が前記第１保持部の前記第１位置に配されるように、前記第１接続器を保持している場合、前記第２端子と前記第２入力端子とを接続し、
前記第１接続器の前記特定の領域が前記第１保持部の前記第２位置に配されるように、前記第１接続器を保持している場合、前記第１端子と前記第２入力端子とを接続するように構成され、
前記第２保持部は、
前記第２接続器の前記特定の領域が前記第２保持部の前記第１位置に配されるように、前記第２接続器を保持している場合、前記第４端子と前記第３入力端子とを接続し、
前記第２接続器の前記特定の領域が前記第２保持部の前記第２位置に配されるように、前記第２接続器を保持している場合、前記第３端子と前記第３入力端子とを接続するように構成される、
請求項８から請求項１０までの何れか一項に記載の交流電圧出力装置。
【請求項１２】
第３交流電圧を出力する第３接続器の第５端子及び第６端子の何れか一方と電気的に接続される第５入力端子と、
前記第５端子及び前記第６端子の他方と電気的に接続される第６入力端子と、
をさらに備え、
前記第５入力端子は、前記第１出力端子と電気的に接続され、
前記第６入力端子は、前記第２出力端子と電気的に接続される、
請求項１から請求項１１までの何れか一項に記載の交流電圧出力装置。
【発明の詳細な説明】
【技術分野】
【０００１】
本発明は、交流電圧出力装置に関する。
【背景技術】
【０００２】
例えば、日本の家庭内配電システムには、単相３線式の配電方式が採用されている。単相３線式によれば、例えば２本の電圧線が夫々１００Ｖの電圧を供給する場合、当該２本の電圧線によって２００Ｖの電圧を出力することができ、１本の電圧線及び１本の中間線によって１００Ｖの電圧を出力することができる（例えば、特許文献１を参照。）。
［先行技術文献］
［特許文献］
［特許文献１］特開２０１０−１１００４１号公報
【発明の概要】
【発明が解決しようとする課題】
【０００３】
分電盤又は配電盤から家庭内に引き込まれた配電線から出力される電圧の高さを変換するには、電磁誘導方式の変圧器を利用する必要があった。
【課題を解決するための手段】
【０００４】
本発明の第１の態様においては、交流電圧出力装置が提供される。上記の交流電圧出力装置は、第１交流電圧を出力する第１端子及び第２端子の何れか一方と電気的に接続される第１入力端子を備える。上記の交流電圧出力装置は、第１端子及び第２端子の他方と電気的に接続される第２入力端子を備える。上記の交流電圧出力装置は、第２交流電圧を出力する第３端子及び第４端子の何れか一方と電気的に接続される第３入力端子を備える。上記の交流電圧出力装置は、第３端子及び第４端子の他方と電気的に接続される第４入力端子を備える。上記の交流電圧出力装置は、交流電圧を出力する第１出力端子及び第２出力端子を備える。
【０００５】
上記の交流電圧出力装置は、（ｉ）第１出力端子及び第２出力端子の間の電圧、並びに、（ｉｉ）第１入力端子及び第３入力端子の間の電圧、第１入力端子及び第４入力端子の間の電圧、並びに、第２入力端子及び第３入力端子の間の電圧、の少なくとも一方を測定する電圧測定部を備える。上記の交流電圧出力装置は、第１入力端子、第２入力端子、第３入力端子及び第４入力端子と、第１出力端子及び第２出力端子との接続関係を切り替える多入力多出力スイッチを備える。上記の交流電圧出力装置は、電圧測定部の測定結果に基づいて、第１出力端子及び第２出力端子の間の電圧が予め定められた条件を満足するように、多入力多出力スイッチを制御する制御部を備える。
【０００６】
上記の交流電圧出力装置において、予め定められた条件は、第１出力端子及び第２出力端子の間の電圧の最大値が、第１交流電圧又は第２交流電圧の最大値よりも大きいという条件を含んでよい。上記の交流電圧出力装置において、電圧測定部は、第１出力端子及び第２出力端子の間の電圧を測定してよい。上記の交流電圧出力装置において、制御部は、多入力多出力スイッチを制御して、第１出力端子及び第２出力端子の接続先を切り替えながら、電圧測定部により測定された第１出力端子及び第２出力端子の間の電圧が、予め定められた条件を満足するような一対の入力端子を決定する決定部を有してよい。
【０００７】
上記の交流電圧出力装置において、電圧測定部は、第１入力端子及び第３入力端子の間の電圧、第１入力端子及び第４入力端子の間の電圧、第２入力端子及び第３入力端子の間の電圧、並びに、第２入力端子及び第４入力端子の間の電圧を測定してよい。上記の交流電圧出力装置において、制御部は、電圧測定部の測定結果に基づいて、端子間電圧が最大となる一対の入力端子を決定する決定部を有してよい。上記の交流電圧出力装置において、制御部は、決定部が決定した一対の入力端子の一方を第１出力端子と接続し、決定部が決定した一対の入力端子の他方を第２出力端子と接続するための制御信号を生成する信号生成部を有してよい。
【０００８】
上記の交流電圧出力装置は、第３出力端子をさらに備えてよい。上記の交流電圧出力装置において、多入力多出力スイッチは、第１入力端子、第２入力端子、第３入力端子及び第４入力端子と、第１出力端子、第２出力端子及び第３出力端子との接続関係を切り替える４入力３出力スイッチであってよい。上記の交流電圧出力装置において、制御部は、第１入力端子、第２入力端子、第３入力端子及び第４入力端子のうち、一対の入力端子とは異なる２つの入力端子と、第３出力端子とが電気的に接続されるように、多入力多出力スイッチを制御してよい。
【０００９】
上記の交流電圧出力装置において、多入力多出力スイッチは、第１出力端子と、第１入力端子及び第２入力端子の何れか一方とを電気的に接続する第１スイッチを含んでよい。上記の交流電圧出力装置において、多入力多出力スイッチは、第２出力端子と、第３入力端子及び第４入力端子の何れか一方とを電気的に接続する第２スイッチを含んでよい。上記の交流電圧出力装置は、第３出力端子をさらに備えてよい。上記の交流電圧出力装置において、第１スイッチは、第３出力端子と、第１入力端子及び第２入力端子の他方とを電気的に接続してよく、第２スイッチは、第３出力端子と、第３入力端子及び第４入力端子の他方とを電気的に接続してよい。
【００１０】
本発明の第２の態様においては、交流電圧出力装置が提供される。上記の交流電圧出力装置は、第１交流電圧を出力する第１接続器の第１端子及び第２端子の何れか一方と電気的に接続される第１入力端子を備える。上記の交流電圧出力装置は、第１端子及び第２端子の他方と電気的に接続される第２入力端子を備える。上記の交流電圧出力装置は、第２交流電圧を出力する第２接続器の第３端子及び第４端子の何れか一方と電気的に接続される第３入力端子を備える。上記の交流電圧出力装置は、第３端子及び第４端子の他方と電気的に接続される第４入力端子を備える。上記の交流電圧出力装置は、第１入力端子と電気的に接続される第１出力端子を備える。上記の交流電圧出力装置は、第４入力端子と電気的に接続される第２出力端子を備える。上記の交流電圧出力装置は、第１接続器を保持する第１保持部を備える。上記の交流電圧出力装置は、第２接続器を保持する第２保持部を備える。
【００１１】
上記の交流電圧出力装置において、第１接続器の特定の領域が第１保持部の第１位置に配されるように、第１保持部が第１接続器を保持している場合、第１端子と第１入力端子とが接続される。上記の交流電圧出力装置において、第１接続器の特定の領域が第１保持部の第２位置に配されるように、第１保持部が第１接続器を保持している場合、第２端子と第１入力端子とが接続される。上記の交流電圧出力装置において、第２接続器の特定の領域が第２保持部の第１位置に配されるように、第２保持部が第２接続器を保持している場合、第３端子と第４入力端子とが接続される。上記の交流電圧出力装置において、第２接続器の特定の領域が第２保持部の第２位置に配されるように、第２保持部が第２接続器を保持している場合、第４端子と第４入力端子とが接続される。
【００１２】
上記の交流電圧出力装置は、（ｉ）第１出力端子及び第２出力端子の間の電圧、並びに、（ｉｉ）第１入力端子及び第３入力端子の間の電圧、第１入力端子及び第４入力端子の間の電圧、第２入力端子及び第３入力端子の間の電圧、並びに、第２入力端子及び第４入力端子の間の電圧、の少なくとも一方を測定する電圧測定部をさらに備えてよい。上記の交流電圧出力装置は、第２入力端子及び第３入力端子と電気的に接続される第３出力端子をさらに備えてよい。上記の交流電圧出力装置において、第１保持部は、第１接続器の特定の領域が第１保持部の第１位置に配されるように、第１接続器を保持している場合、第２端子と第２入力端子とを接続し、第１接続器の特定の領域が第１保持部の第２位置に配されるように、第１接続器を保持している場合、第１端子と第２入力端子とを接続するように構成されてよい。上記の交流電圧出力装置において、第２保持部は、第２接続器の特定の領域が第２保持部の第１位置に配されるように、第２接続器を保持している場合、第４端子と第３入力端子とを接続し、第２接続器の特定の領域が第２保持部の第２位置に配されるように、第２接続器を保持している場合、第３端子と第３入力端子とを接続するように構成されてよい。
【００１３】
上記の交流電圧出力装置は、電圧測定部による測定結果を表示する表示部をさらに備えてよい。上記の交流電圧出力装置は、第３交流電圧を出力する第３接続器の第５端子及び第６端子の何れか一方と電気的に接続される第５入力端子をさらに備えてよい。上記の交流電圧出力装置は、第５端子及び第６端子の他方と電気的に接続される第６入力端子をさらに備えてよい。上記の交流電圧出力装置において、第５入力端子は、第１出力端子と電気的に接続されてよい。上記の交流電圧出力装置において、第６入力端子は、第２出力端子と電気的に接続されてよい。
【００１４】
なお、上記の発明の概要は、本発明の必要な特徴の全てを列挙したものではない。また、これらの特徴群のサブコンビネーションもまた、発明となりうる。
【図面の簡単な説明】
【００１５】
【図１】家庭内配電システム１００のシステム構成の一例を概略的に示す。
【図２】位相判定システム２００のシステム構成の一例を概略的に示す。
【図３】親機２０２のシステム構成の一例を概略的に示す。
【図４】データテーブル４００の一例を概略的に示す。
【図５】位相判定システム５００のシステム構成の一例を概略的に示す。
【図６】電圧変換アダプタ６００の外観の一例を概略的に示す。
【図７】電圧変換アダプタ６００のシステム構成の一例を概略的に示す。
【図８】４入力３出力スイッチ７４０のシステム構成の一例を概略的に示す。
【図９】４入力２出力スイッチ９４０のシステム構成の一例を概略的に示す。
【図１０】電圧変換アダプタ１０００のシステム構成の一例を概略的に示す。
【図１１】プラグ差込口１０１２の外観の一例を概略的に示す。
【図１２】プラグ差込口１２１２の外観の一例を概略的に示す。
【図１３】プラグ差込口１３１２の外観の一例を概略的に示す。
【発明を実施するための形態】
【００１６】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一または類似の部分には同一の参照番号を付して、重複する説明を省く場合がある。
【００１７】
図１は、家庭内配電システム１００のシステム構成の一例を概略的に示す。本実施形態において、家庭内配電システム１００は、配電線１１０と、配電線１２０と、配電線１３０と、配電線１４０とを備える。本実施形態において、配電線１１０の配電方式は単相３線式であり、２００ボルトの電圧を供給する。配電線１１０は、配電線１１０の第１相（Ｌ１相）の電圧線１１２と、第２相（Ｌ２相）の電圧線１１４と、中性線１１６とを有する。第１相と第２相との位相差は１８０°である。配電線１１０は、各家庭の分電盤に接続されていてもよい。
【００１８】
配電線１２０の配電方式は単相２線式であり、一方の配線は電圧線１１２と電気的に接続され、他方の配線は中性線１１６と電気的に接続される。配電線１３０の配電方式は単相２線式であり、一方の配線は電圧線１１４と電気的に接続され、他方の配線は中性線１１６と電気的に接続される。配電線１４０の配電方式は単相２線式であり、一方の配線は電圧線１１２と電気的に接続され、他方の配線は電圧線１１４と電気的に接続される。
【００１９】
配電線１２０には、１００ボルトの電圧を出力する電源取出口１２２及び電源取出口１２４が接続されている。配電線１３０には、１００ボルトの電圧を出力する電源取出口１３２が接続されている。配電線１４０には、２００ボルトの電圧を出力する電源取出口１４２が接続されている。各電源取出口としては、コンセント（ソケットと称される場合もある。）を例示することができる。
【００２０】
日本においては、２００ボルト用のコンセントと、１００ボルト用のコンセントとでは、プラグ差込口の形状が異なる。そのため、配電線１２０又は配電線１３０に接続されたコンセントと、配電線１４０に接続されたコンセントとを見分けることができる。しかしながら、配電線１２０に接続されたコンセントと、配電線１３０に接続されたコンセントとを、コンセントの外観から見分けることはできない。また、配電線１２０及び配電線１３０は、壁の内側、床下、天井裏などの人目につかない場所に配されることが多く、各コンセントが配電線１２０及び配電線１３０の何れに接続されているかを調べるためには、コンセントを分解するなどの手間がかかる。
【００２１】
例えば、電源取出口１２２の非接地側端子と、電源取出口１３２の非接地側端子とを利用すれば、電磁誘導方式の変圧器を利用することなく、２００ボルトの電圧を取り出すことができる。一方、電源取出口１２２の非接地側端子と、電源取出口１２４の非接地側端子とを利用しても、２００ボルトの電圧を取り出すことはできない。そのため、２００ボルトの電圧を取り出すことのできるコンセントの組み合わせを容易に判定することができれば非常に有用である。
【００２２】
図２及び図３を用いて、位相判定システム２００の一例について説明する。図２は、位相判定システム２００及び子機２０４のシステム構成の一例を概略的に示す。図３は、親機２０２のシステム構成の一例を概略的に示す。本実施形態において、位相判定システム２００は、２以上の配電線のうち、位相の異なる配電線に接続された電源取出口の組み合わせを判定する。
【００２３】
本実施形態において、位相判定システム２００は、親機２０２と、子機２０４とを備える。本実施形態において、親機２０２及び子機２０４のそれぞれは、電源プラグ２１０と、電圧計２２０と、タイマ２３０と、入力部２４０と、記憶部２５０と、通信制御部２６０とを備える。電源プラグ２１０は、電源取出口に挿入される一対の端子２１２及び端子２１４を有する。親機２０２は、子機情報取得部３１０と、判定部３２０と、表示部３３０とを備える。親機２０２及び子機２０４のそれぞれは、上記の各部を収容する筐体を備えてよい。位相判定システム２００は、複数の子機２０４を備えてもよい。
【００２４】
本実施形態によれば、２以上のコンセントから、同一時刻に出力される電圧の値を測定することができる。位相判定システム２００は、２以上のコンセントの電圧に関する測定結果を比較して、位相差の有無を判定することができる。例えば、位相判定システム２００は、２つのコンセントの出力電圧の位相差が予め定められた値（位相差に関する閾値と称する場合がある。）よりも大きい場合、当該２つのコンセントが位相の異なる配電線に接続されていると判定する。
【００２５】
位相判定システム２００は、判定システムの一例であってよい。親機２０２及び子機２０４は、電圧測定装置の一例であってよい。親機２０２は、第２電圧測定装置の一例であってよい。子機２０４は、第１電圧測定装置の一例であってよい。電源プラグ２１０は、第１接続部、第２接続部又は電源接続部の一例であってよい。電圧計２２０は、第１電圧測定部又は第２電圧測定部の一例であってよい。タイマ２３０は、第１時刻測定部又は第２時刻測定部の一例であってよい。記憶部２５０は、第１格納部又は第２格納部の一例であってよい。子機情報取得部３１０は、取得部の一例であってよい。表示部３３０は、出力部の一例であってよい。
【００２６】
電圧計２２０は、電源取出口から出力される電圧を測定する。例えば、電圧計２２０は、電源プラグ２１０が挿入されている電源取出口から出力される電圧を、少なくとも、予め定められた期間に渡って測定する。予め定められた期間は、電源取出口から出力される出力電圧の周波数に応じて決定される。例えば、出力電圧の周波数が５０Ｈｚである場合、最大電圧が計測される時刻と最小電圧が計測される時刻との間の期間は１／１００秒である。そこで、３／１００秒〜４／１００秒以上の期間を任意に設定してよい。予め定められた期間は、１秒であってもよく、３秒であってもよく、５秒であってもよく、１０秒であってもよく、３０秒であってもよく、１分であってもよい。
【００２７】
親機２０２における測定期間と、子機２０４における測定期間とは、同一であってもよく、異なってもよい。しかし、親機２０２における測定期間、及び、子機２０４における測定期間の一部の期間が重複するように設定されることが好ましい。
【００２８】
一実施形態において、ユーザは、子機２０４の電源プラグ２１０を、特定のコンセントに挿入して、当該コンセントの出力電圧を測定する。この状態で、ユーザは、親機２０２を携帯して、他のコンセントの設置場所まで移動する。ユーザは、親機２０２の電源プラグ２１０を、上記の他のコンセントに挿入して、当該コンセントの出力電圧を測定する。同様にして、ユーザは、親機２０２を利用して、他の複数のコンセントの出力電圧を順番に測定する。この場合、子機２０４は、ユーザが、親機２０２を携帯して、次のコンセントの設置場所まで移動する間、電圧の測定を続けていてもよい。他の実施形態において、ユーザは、親機２０２を利用して、特定のコンセントの出力電圧を測定したまま、子機２０４を利用して、他の複数のコンセントの出力電圧を順番に測定してもよい。
【００２９】
タイマ２３０は、特定の時刻からの経過時間を測定する。上記の特定の時刻は、０時０分００秒であってもよく、親機２０２及び子機２０４の時刻合わせを行った時刻であってもよく、親機２０２が、電圧測定処理を開始するための指示を受け付けた時刻であってもよい。タイマ２３０の精度は、各コンセントにおける出力電圧の周波数に応じて決定される。タイマ２３０の精度は、１／１００秒以下であることが好ましい。
【００３０】
親機２０２が、電圧測定処理を開始するための指示を受け付けた場合、電圧測定処理を開始する前に、親機２０２のタイマ２３０及び子機２０４のタイマ２３０の時刻合わせを行うための処理（時刻合わせ処理と称する場合がある。）が実行されてもよい。例えば、親機２０２の入力部２４０が、電圧測定処理を開始するための指示を受け付けると、親機２０２のタイマ２３０は、通信制御部２６０を介して、子機２０４のタイマ２３０に、時刻合わせ処理を開始するための指示を送信する。これにより、時刻合わせ処理を実行することができる。なお、親機２０２及び子機２０４の少なくとも一方は、電源がＯＮになったときに、タイマ２３０の時刻合わせ処理を実行してもよい。
【００３１】
一実施形態において、時刻合わせ処理が実行されると、親機２０２及び子機２０４は、親機２０２及び子機２０４の一方のタイマ２３０の時刻を、他方のタイマ２３０の時刻に合わせる。他の実施形態において、親機２０２及び子機２０４は、親機２０２及び子機２０４のそれぞれのタイマ２３０の時刻を同一のタイミングで同一の時刻に設定する。
【００３２】
さらに他の実施形態において、親機２０２及び子機２０４のそれぞれのタイマ２３０は、電波時計を有する。時刻合わせ処理が実行されると、親機２０２及び子機２０４のそれぞれのタイマ２３０は、標準電波を受信して、各々の時刻を調整する。この場合、親機２０２及び子機２０４が標準電波を受信するタイミングが多少ずれたとしても、時刻合わせに影響はない。そのため、親機２０２及び子機２０４のそれぞれのタイマ２３０が標準電波を受信するタイミングは、同一であってもよく、同一でなくてもよい。
【００３３】
入力部２４０は、電源プラグ２１０が挿入されている電源取出口の識別情報を入力する。電源取出口の識別情報は、特に限定されるものではないが、当該電源取出口の設置場所を示す情報、当該電源取出口に割り当てられた番号などを例示することができる。入力部２４０としては、操作ボタン、キーボード、ポインティングシステム、タッチパネル、音声入力システムなどを例示することができる。
【００３４】
記憶部２５０は、電圧計２２０が測定した電圧の値と、当該電圧が測定された時刻とを対応付けて格納する。記憶部２５０は、電圧計２２０が測定した電圧の値と、当該電圧が測定された時刻と、当該電圧が測定された時に電源プラグ２１０が挿入されていた電源取出口の識別情報とを対応付けて格納してもよい。電圧が測定された時刻は、タイマ２３０により測定された時刻であってよい。
【００３５】
一実施形態において、記憶部２５０は、電圧計２２０が測定した電圧が最大値及び最小値を示す時刻について、当該時刻における電圧の値を記録してよい。他の実施形態において、予め定められた時間間隔で、電圧計２２０が測定した電圧を記録してもよい。
【００３６】
親機２０２の記憶部２５０は、時刻と、当該時刻に親機２０２の電圧計２２０により測定された電圧の値と、当該時刻に子機２０４の電圧計２２０により測定された時刻とを対応付けて格納してもよい。親機２０２の記憶部２５０は、時刻と、当該時刻に親機２０２の電圧計２２０により測定された電圧の値と、当該電圧が測定された時に親機２０２の電源プラグ２１０が挿入されていた電源取出口の識別情報と、当該時刻に子機２０４の電圧計２２０により測定された時刻と、当該電圧が測定された時に子機２０４の電源プラグ２１０が挿入されていた電源取出口の識別情報とを対応付けて格納してもよい。
【００３７】
通信制御部２６０は外部の機器との通信を制御する。通信制御部２６０は、各種の通信用インターフェース又は通信用コントローラであってよい。通信制御部２６０は複数の通信規格に対応していてもよい。一実施形態において、親機２０２及び子機２０４が、ＵＳＢ接続を介して情報を送受する場合、通信制御部２６０は、ＵＳＢコントローラであってよい。親機２０２及び子機２０４は、直接接続されてもよく、通信ケーブルを介して接続されてもよい。例えば、親機２０２がＵＳＢ規格に準拠したレセプタクル・コネクタを有し、子機２０４がＵＳＢ規格に準拠したプラグ・コネクタ有する。これにより、親機２０２及び子機２０４を直接接続することができる。
【００３８】
なお、親機２０２及び子機２０４は、ＵＳＢ規格以外の有線通信規格により接続されてもよい。この場合、通信制御部２６０は、上記の有線通信規格をサポートするコントローラであってよい。ＵＳＢ規格以外の有線通信規格としては、ＲＳ−２３２Ｃ、Ｅｔｈｅｒｎｅｔ（登録商標）（ＩＥＥＥ  ８０２．３）、ＩＥＥＥ  １３９４、電力線搬送通信用の各種規格などを例示することができる。
【００３９】
他の実施形態において、親機２０２及び子機２０４が、ＷｉＦｉ（登録商標）、Ｂｌｕｅｔｏｏｔｈ（登録商標）、Ｚｉｇｂｅｅ（登録商標）、赤外線通信、可視光通信などの無線通信により情報を送受する場合、通信制御部２６０は、無線通信用のインターフェースであってよい。なお、無線通信の通信方式は上記に限定されるものではない。無線通信方式は、ＷｉＦｉ以外の無線ＬＡＮ方式であってもよく、３Ｇ、ＬＴＥなどの移動体通信方式であってもよい。
【００４０】
子機情報取得部３１０は、通信制御部２６０を介して、子機２０４の電圧計２２０が測定した電圧に関する情報を取得する。一実施形態において、子機情報取得部３１０は、子機２０４から送信されてくる情報を受信することで、上記の電圧に関する情報を取得する。他の実施形態において、子機情報取得部３１０は、子機２０４の電圧計２２０又は記憶部２５０にアクセスして、上記の電圧に関する情報を取得する。
【００４１】
例えば、子機情報取得部３１０は、子機２０４の記憶部２５０にアクセスして、子機２０４の電圧計２２０により測定された電圧の値と、当該電圧が測定された時刻とが対応づけられた情報を取得する。子機情報取得部３１０は、子機２０４の記憶部２５０にアクセスして、子機２０４の電圧計２２０により測定された電圧の値と、当該電圧が測定された時刻と、当該電圧が測定された時に子機２０４の電源プラグ２１０が挿入されていた電源取出口（当該電圧を出力した電源取出口である。）の識別情報とが対応づけられた情報を取得してもよい。
【００４２】
判定部３２０は、位相の異なる配電線に接続された電源取出口の組み合わせを判定する。例えば、判定部３２０は、親機２０２の電圧計２２０が測定した電圧と、子機２０４の電圧計２２０が測定した電圧の位相差が、予め定められた値よりも大きいか否かを判定する。これにより、位相の異なる配電線に接続された電源取出口の組み合わせを判定することができる。判定部３２０は、子機情報取得部３１０が取得した情報と、親機２０２の記憶部２５０に格納された情報とに基づいて、親機２０２の電圧計２２０が測定した電圧と、子機２０４の電圧計２２０が測定した電圧の位相差が、予め定められた値よりも大きいか否かを判定してよい。
【００４３】
一実施形態において、判定部３２０は、まず、親機２０２が測定した電圧及び測定時刻の情報と、子機２０４が測定した電圧及び測定時刻の情報とを解析して、同一期間における、親機２０２が測定した電圧の情報と、子機２０４が測定した電圧の情報とを抽出する。次に、判定部３２０は、親機２０２により測定された電圧が略最大値を示す時刻を算出する。同様に、判定部３２０は、子機２０４により測定された電圧が略最大値を示す時刻を算出する。各電圧が略最大値を示す時刻は、略最大値を示す複数個のデータを用いて補正されてもよい。
【００４４】
例えば、正常に電力が供給されている場合、電圧は周期的に変動している。そこで、最小二乗法などの各種のフィッティング手法を利用して、親機２０２が測定した電圧が略最大値を示す複数の時刻のデータから、電圧変動の周期を算出する。そして、補正後の複数の時刻の間隔が、算出された電圧変動の周期と一致するように、上記の複数の時刻のデータを補正する。このとき、補正量の合計が最小となるように、複数の時刻のデータを補正してもよい。
【００４５】
次に、判定部３２０は、親機２０２により測定された電圧が略最大値を示す時刻と、当該時刻に最も近い子機２０４により測定された電圧が略最大値を示す時刻との時間差を算出する。上記の時間差が予め定められた値よりも大きい場合、親機２０２の電圧計２２０が測定した電圧と、子機２０４の電圧計２２０が測定した電圧の位相差が、予め定められた値よりも大きいと判定する。上記の時間差に関する予め定められた値は、例えば、各出力電圧の周波数に基づいて決定される。
【００４６】
なお、上記の実施形態においては、判定部３２０が、電圧が略最大値を示す時刻を算出する場合について説明した。しかしながら、判定部３２０は上記の実施形態に限定されない。判定部３２０は、電圧が略最小値を示す時刻を利用してもよい。判定部３２０は、電圧が略ゼロになる時刻を利用してもよい。ここで、略最大値とは、上記の期間における厳密な意味での最大値だけでなく、当該厳密な意味での最大値との誤差が予め定められた範囲である値をも含む。略最小値及び略ゼロについても同様である。
【００４７】
他の実施形態において、判定部３２０は、まず、親機２０２が測定した電圧及び測定時刻の情報と、子機２０４が測定した電圧及び測定時刻の情報とを解析して、同一期間における、親機２０２が測定した電圧の情報と、子機２０４が測定した電圧の情報とを抽出する。次に、判定部３２０は、データフィッティングにより、各電圧を正弦波又は余弦波の関数として表現する。判定部３２０は、得られた関数の位相に関する項を比較して、親機２０２の電圧計２２０が測定した電圧と、子機２０４の電圧計２２０が測定した電圧の位相差が、予め定められた値よりも大きいか否かを判定する。
【００４８】
さらに実施形態において、判定部３２０は、２つの信号間の位相差に応じた信号を出力する位相比較器（位相周波数比較器と称される場合もある。）を有する。例えば、判定部３２０は、親機２０２の電圧計２２０が測定した電圧を示す信号と、子機２０４の電圧計２２０が測定した電圧を示す信号とを生成し、位相比較器に入力する。位相比較器は、入力された２つの信号間の位相差に応じた電圧を出力する。判定部３２０は、位相比較器の出力電圧が予め定められた値よりも大きい場合、親機２０２の電圧計２２０が測定した電圧と、子機２０４の電圧計２２０が測定した電圧の位相差が、予め定められた値よりも大きいと判定する。
【００４９】
さらに他の実施形態において、親機２０２及び子機２０４の少なくとも一方が、複数の電源取出口の出力電圧を測定し、当該出力電圧の経時変化を示す情報と、当該出力電圧を出力した電源取出口の識別情報とを対応付けて記憶する。判定部３２０は、親機２０２及び子機２０４が出力電圧を測定した１以上の電源取出口のそれぞれについて、他の電源取出口との間の出力電圧の位相差が予め定められた値よりも大きいか否かを判定する。
【００５０】
例えば、ユーザは、親機２０２及び子機２０４を利用して、３以上の電源取出口の出力電圧の情報を取得する。この場合、判定部３２０は、親機２０２及び子機２０４が、同一期間に出力電圧を測定した複数の電源取出口の組み合わせのうち、少なくとも１つの組み合わせについて、両者の出力電圧の位相差が、予め定められた値よりも大きいか否かを判定してよい。
【００５１】
判定部３２０は、親機２０２及び子機２０４が、同一期間に出力電圧を測定した複数の電源取出口の全ての組み合わせについて、両者の出力電圧の位相差が、予め定められた値よりも大きいか否かを判定してもよい。判定部３２０は、予め定められた値よりも位相差の大きな電源取出口の組み合わせが見つかった時点で、他の組み合わせに関する判定処理を中止してもよい。
【００５２】
例えば、子機２０４が「居間」のコンセントの出力電圧を測定している期間に、親機２０２が「台所」及び「書斎」のコンセントの出力電圧を順番に測定した場合、一実施形態によれば、判定部３２０は、「居間」及び「台所」の各コンセントの位相差、並びに、「居間」及び「書斎」の各コンセントの位相差を判定する。他の実施形態によれば、判定部３２０は、まず、「居間」及び「台所」の各コンセントの位相差を判定する。両者の位相差が予め定められた値よりも大きい場合、「居間」及び「台所」の各コンセントは、位相の異なる配電線に接続されていると判定して、判定処理を終了する。一方、両者の位相差が予め定められた値よりも大きくない場合、判定処理を続行して、「居間」及び「書斎」の各コンセントの位相差を判定する。
【００５３】
表示部３３０は、判定部３２０による判定結果を出力する。表示部３３０は、特に限定されるものではなく、各種のディスプレイであってもよく、発光素子であってもよい。
【００５４】
判定結果の表示態様は、特に限定されない。一実施形態によれば、ディスプレイ上に、判定処理を行ったコンセントの組み合わせのそれぞれについて、判定結果を表示する。例えば、「居間−台所：ＯＫ」、「居間−書斎：ＮＧ」などと表示する。ここで、「ＯＫ」は、両者が位相の異なる配電線に接続されている、又は、位相差が予め定められた値よりも大きいことを示す。「ＮＧ」は、両者が位相の異なる配電線に接続されていない、又は、位相差が予め定められた値よりも大きくないことを示す。判定処理が途中で中止された場合、判定結果が存在しない旨を表示してもよい。
【００５５】
他の実施形態において、特定のコンセントの識別情報と、当該特定のコンセントが接続されている配電線とは位相の異なる配電線に接続されていると判断されたコンセントの識別情報とを表示してもよい。例えば、居間のコンセントが接続されている配電線とは位相の異なる配電線に接続されているコンセントの識別情報を示す場合、「居間：台所、書斎、洗面所」などと表示する。
【００５６】
さらに他の実施形態において、位相の異なる配電線に接続されていると判断されたコンセントの組み合わせを表示してもよい。さらに他の実施形態において、第１の配電線に接続されていると判断されたコンセントの識別情報と、第１の配電線とは位相の異なる第２の配電線に接続されていると判断されたコンセントの識別情報とを表示してもよい。例えば、「第１グループ：台所、居間、洗面所」、「第２グループ：書斎、玄関」などと表示する。
【００５７】
親機２０２及び子機２０４の各部は、ハードウエアにより実現されてもよく、ソフトウエアにより実現されてもよく、ハードウエアとソフトウエアとの組み合わせにより実現されてもよい。例えば、プログラムが実行されることにより、１又は複数のコンピュータが、親機２０２又は子機２０４の一部として機能する。親機２０２又は子機２０４の各部は、一般的な構成の情報処理装置において、親機２０２又は子機２０４の各部の動作を規定したソフトウエア又はプログラムを起動することにより実現されてよい。
【００５８】
上記のソフトウエア又はプログラムは、ＣＤ−ＲＯＭ、ＤＶＤ−ＲＯＭ、メモリ、ハードディスクなどのコンピュータ読み取り可能な媒体に記憶されていてもよく、ネットワークに接続された記憶装置に記憶されていてもよい。ソフトウエア又はプログラムは、コンピュータ読み取り可能な媒体又はネットワークに接続された記憶装置から、親機２０２又は子機２０４のコンピュータにインストールされてよい。
【００５９】
コンピュータを、親機２０２又は子機２０４の各部として機能させるプログラムは、親機２０２又は子機２０４の各部の動作を規定したモジュールを備えてよい。これらのプログラム又はモジュールは、プロセッサ、通信インターフェース等に働きかけて、親機２０２又は子機２０４の各部として機能させたり、親機２０２又は子機２０４の各部における情報処理方法を実行させたりする。
【００６０】
これらのプログラムに記述された情報処理は、コンピュータに読込まれることにより、ソフトウエアと、親機２０２又は子機２０４のハードウエア資源とが協働した具体的手段として機能する。そして、これらの具体的手段によって、本実施形態におけるコンピュータの使用目的に応じた情報の演算又は加工を実現することにより、使用目的に応じた親機２０２又は子機２０４を構築することができる。
【００６１】
本実施形態において、親機２０２及び子機２０４が、記憶部２５０を有する場合について説明した。しかしながら、位相判定システム２００は本実施形態に限定されない。他の実施形態において、子機２０４が、記憶部２５０を有しなくてもよい。この場合、通信制御部２６０は、例えば、無線通信用のインターフェース又はコントローラであり、子機２０４は、出力電圧の測定結果をリアルタイムで親機２０２に送信する。
【００６２】
本実施形態において、親機２０２及び子機２０４が、入力部２４０を有する場合について説明した。しかしながら、位相判定システム２００は本実施形態に限定されない。他の実施形態において、親機２０２及び子機２０４の少なくとも一方が、入力部２４０を有しなくてもよい。
【００６３】
本実施形態において、親機２０２が、表示部３３０を有する場合について説明した。しかしながら、位相判定システム２００は本実施形態に限定されない。他の実施形態において、親機２０２は、表示部３３０を有しなくてもよい。このとき、親機２０２は、判定結果を音声により出力してもよく、判定結果を格納したデータを出力してもよい。
【００６４】
本実施形態において、親機２０２及び子機２０４が、電源取出口に挿入される端子を有するプラグを備える場合について説明した。しかし、親機２０２及び子機２０４は、本実施形態に限定されない。他の実施形態において、電源取出口がプラグを有する場合、親機２０２及び子機２０４は、当該プラグの端子が挿入されるレセプタクルを備えてもよい。この場合、電圧計２２０は、レセプタクルに接続された電源取出口からの出力電圧を測定する。
【００６５】
本実施形態において、位相判定システム２００が、同一の分電盤に接続された複数の配電線の何れかに接続されている複数のコンセントにおける、出力電圧の位相差を判定する場合について説明した。しかしながら、位相判定システム２００の判定対象は、本実施形態に限定されない。他の実施形態において、位相判定システム２００の判定対象は、異なる分電盤に接続された複数の配電線の何れかに接続されている複数のコンセントであってよい。なお、この場合、両者の位相差が１８０°ではない可能性がある。そのため、位相差に関する閾値を適切に設定することが好ましい。
【００６６】
図４は、データテーブル４００の一例を概略的に示す。データテーブル４００は、親機２０２又は子機２０４の記憶部２５０に記憶される情報の一例であってよい。本実施形態において、データテーブル４００は、電圧計２２０により出力電圧を測定されたコンセントの設置場所４０２と、当該コンセントの出力電圧が測定された測定時刻４０４と、電圧計２２０により測定された出力電圧の電圧値４０６とを対応付けて格納する。コンセントの設置場所４０２は、電源取出口の識別情報の一例であってよい。
【００６７】
図５は、位相判定システム５００のシステム構成の一例を概略的に示す。本実施形態において、位相判定システム５００は、２台の子機２０４と、判定装置５０２とを備える点で、家庭内配電システム１００と相違する。その他の点については、家庭内配電システム１００と同様の構成を有してよい。なお、位相判定システム５００は、３台以上の子機２０４を備えてもよい。
【００６８】
本実施形態において、判定装置５０２は、通信制御部２６０と、子機情報取得部３１０と、判定部３２０と、表示部３３０とを備える。子機２０４の一方は、第１電圧測定装置の一例であってよい。子機２０４の他方及び判定装置５０２を含むシステムは、第２電圧測定装置の一例であってよい。
【００６９】
本実施形態において、子機情報取得部３１０は、２台の子機２０４のそれぞれから、各電源取出口の出力電圧に関する情報を収集して、判定部３２０に送信する。判定部３２０は、例えば、２台の子機２０４の電圧計２２０が電圧を測定した複数の電源取出口の全ての組み合わせについて、両者の位相差が、予め定められた値よりも大きいか否かを判定する。判定装置５０２は、サーバ又はパーソナルコンピュータであってもよく、携帯端末であってもよい。携帯端末としては、タブレット型コンピュータ、スマートフォン、携帯電話、ウェアラブル端末などを例示することができる。
【００７０】
図６及び図７を用いて、電圧変換アダプタ６００について説明する。図６は、電圧変換アダプタ６００の外観の一例を概略的に示す。図７は、電圧変換アダプタ６００のシステム構成の一例を概略的に示す。電圧変換アダプタ６００は、交流電圧出力装置の一例であてよい。
【００７１】
本実施形態において、電圧変換アダプタ６００が、位相の異なる単相１００ボルトの電圧を出力する２つの電源プラグ（例えば、電源プラグ６２及び電源プラグ６４である。）と接続され、単相２００ボルトの電圧を出力する場合を例として、電圧変換アダプタ６００の詳細について説明する。電圧変換アダプタ６００は、例えば、単相２００ボルト用の電源プラグ（例えば、電源プラグ６６である。）と接続され、単相２００ボルトの電圧を出力する。電圧変換アダプタ６００を利用することで、電磁誘導方式の変圧器を利用することなく、配電線から出力される電圧の大きさを変換することができる。
【００７２】
本実施形態において、電圧変換アダプタ６００は、プラグ差込口６１２と、プラグ差込口６１４と、プラグ差込口６１６と、プラグ差込口６２０と、入力部６３０と、表示部６４０とを備える。入力部６３０は、例えば、スタートボタン６３２及び設定ボタン６３４を有する。
【００７３】
本実施形態において、電圧変換アダプタ６００は、入力端子７０１、入力端子７０２、入力端子７０３、入力端子７０４、入力端子７０５、入力端子７０６及び入力端子７０７を備える。電圧変換アダプタ６００は、出力端子７１１、出力端子７１２及び出力端子７１３を備える。
【００７４】
本実施形態において、入力端子７０１、入力端子７０２、入力端子７０３及び入力端子７０４から選択された２つの入力端子の一方が、出力端子７１１と電気的に接続される。上記の２つの入力端子の他方が、出力端子７１２と電気的に接続される。また、上記の４つの入力端子のうちの残りの２つの入力端子は、出力端子７１３と電気的に接続される。
【００７５】
本実施形態において、入力端子７０５は、出力端子７１１と電気的に接続される。入力端子７０６は、出力端子７１２と電気的に接続される。入力端子７０７は、出力端子７１３と電気的に接続される。電圧変換アダプタ６００は、入力端子７０５及び入力端子７０６と、出力端子７１１及び出力端子７１２とを電気的に接続するか否かを決定するスイッチを備えてもよい。
【００７６】
電圧変換アダプタ６００は、電圧計７２０と、制御部７３０と、４入力３出力スイッチ７４０とを備える。制御部７３０は、決定部７３２と、信号生成部７３４とを有する。４入力３出力スイッチ７４０は、入力端子として、端子７５１、端子７５２、端子７５３及び端子７５４を有する。４入力３出力スイッチ７４０は、出力端子として、端子７６１、端子７６２及び端子７６３を有する。端子７５１、端子７５２、端子７５３及び端子７５４のそれぞれは、入力端子７０１、入力端子７０２、入力端子７０３及び入力端子７０４のそれぞれと電気的に接続される。端子７６１、端子７６２及び端子７６３のそれぞれは、出力端子７１１、出力端子７１２及び出力端子７１３のそれぞれと電気的に接続される。電圧計７２０は、電圧測定部の一例であってよい。４入力３出力スイッチ７４０は、多入力多出力スイッチの一例であってよい。
【００７７】
プラグ差込口６１２は、電源プラグ６２を保持する。電源プラグ６２は、交流電圧を出力する一対の端子を有する。電源プラグ６２は、例えば、ケーブルを介して電源取出口１２２と電気的に接続され、１００ボルトの電圧を出力する。電源プラグ６２は、第１接続器の一例であってよい。電源プラグ６２の一対の端子は、第１端子及び第２端子の一例であってよい。電源プラグ６２が出力する電圧は、第１交流電圧の一例であってよい。
【００７８】
プラグ差込口６１２は、入力端子７０１及び入力端子７０２を有する。入力端子７０１及入力端子７０２の一方は、電源プラグ６２の一対の端子の一方と電気的に接続され、入力端子７０１及入力端子７０２の他方は、電源プラグ６２の一対の端子の他方と電気的に接続される。入力端子７０１及び入力端子７０２は、第１入力端子及び第２入力端子の一例であってよい。
【００７９】
プラグ差込口６１４は、電源プラグ６４を保持する。電源プラグ６４は、交流電圧を出力する一対の端子を有する。電源プラグ６４は、例えば、ケーブルを介して電源取出口１３２と電気的に接続され、１００ボルトの電圧を出力する。電源プラグ６４は、第２接続器の一例であってよい。電源プラグ６４の一対の端子は、第３端子及び第４端子の一例であってよい。電源プラグ６４が出力する電圧は、第２交流電圧の一例であってよい。
【００８０】
プラグ差込口６１４は、入力端子７０３及び入力端子７０４を有する。入力端子７０３及入力端子７０４の一方は、電源プラグ６４の一対の端子の一方と電気的に接続され、入力端子７０３及入力端子７０４の他方は、電源プラグ６４の一対の端子の他方と電気的に接続される。入力端子７０３及び入力端子７０４は、第３入力端子及び第４入力端子の一例であってよい。
【００８１】
プラグ差込口６１６は、電源プラグ６６を保持する。電源プラグ６６は、交流電圧を出力する一対の端子と、配電線１１０の中性線１１６に電気的に接続される接地端子とを有する。電源プラグ６４は、例えば、ケーブルを介して電源取出口１４２と電気的に接続され、２００ボルトの電圧を出力する。電源プラグ６６は、第３接続器の一例であってよい。電源プラグ６６の交流電圧を出力する一対の端子は、第５端子及び第６端子の一例であってよい。電源プラグ６６が出力する電圧は、第３交流電圧の一例であってよい。
【００８２】
プラグ差込口６１６は、入力端子７０５、入力端子７０６及び入力端子７０７を有する。入力端子７０５及び入力端子７０６の一方は、電源プラグ６６の交流電圧を出力する一対の端子の一方と電気的に接続される。入力端子７０５及び入力端子７０６の他方は、電源プラグ６６の交流電圧を出力する一対の端子の他方と電気的に接続される。入力端子７０７は、電源プラグ６６の接地端子と電気的に接続される。入力端子７０５及び入力端子７０６は、第５入力端子及び第６入力端子の一例であってよい。
【００８３】
プラグ差込口６２０は、交流電圧を出力する出力端子７１１及び出力端子７１２を有する。プラグ差込口６２０は、配電線１１０の中性線１１６に電気的に接続され、基準電位を出力する出力端子７１３を有してもよい。出力端子７１１及び出力端子７１２は、第１出力端子及び第２出力端子の一例であってよい。出力端子７１３は、第３出力端子の一例であってよい。
【００８４】
入力部６３０は、ユーザから、電圧変換アダプタ６００の操作に関する指示を受け付ける。例えば、ユーザがスタートボタン６３２を押すと、電圧計７２０による計測を開始したり、制御部７３０による制御を開始したりする。また、ユーザは、設定ボタン６３４を利用して、電圧変換アダプタ６００の操作に関する設定値又は条件を変更する。電圧変換アダプタ６００の操作に関する設定値又は条件としては、出力電圧の許容範囲、表示部６４０に表示させる情報の種類などを例示することができる。入力部６３０の他の例としては、キーボード、ポインティングシステム、タッチパネル、音声入力システムなどを例示することができる。
【００８５】
表示部６４０は、各種の情報を表示する。一実施形態において、表示部６４０は、決定部７３２による決定結果を表示してもよい。他の実施形態において、表示部６４０は、電圧計７２０による測定結果を表示する。例えば、電圧計７２０が、出力端子７１１及び出力端子７１２の間の電圧を測定している場合、表示部６４０は、測定された電圧の値を表示する。電圧計７２０が、入力端子７０１、入力端子７０２、入力端子７０３及び入力端子７０４のそれぞれの間の端子間電圧を測定している場合、表示部６４０は、４つの入力端子の中から２つの入力端子を選択した全ての組み合わせについて、その端子間電圧の値を表示してもよい。
【００８６】
表示部６４０は、入力端子７０１及び入力端子７０３、入力端子７０１及び入力端子７０４、入力端子７０２及び入力端子７０３、並びに、入力端子７０２及び入力端子７０４の４つの組み合わせについて、その端子間電圧の値を表示してもよい。表示部６４０は、入力端子７０１及び入力端子７０３、入力端子７０１及び入力端子７０４、並びに、入力端子７０２及び入力端子７０３の３つの組み合わせについて、その端子間電圧の値を表示してもよい。
【００８７】
電圧計７２０は、各端子間の電圧を測定する。例えば、電圧計７２０は、（ｉ）出力端子７１１及び出力端子７１２の間の電圧（電圧変換アダプタ６００の出力電圧と称する場合がある。）、又は、（ｉｉ）入力端子７０１及び入力端子７０３の間の電圧、入力端子７０１及び入力端子７０４の間の電圧、並びに、入力端子７０２及び入力端子７０３の間の電圧を測定する。電圧計７２０は、上記の（ｉ）及び（ｉｉ）の両方を測定してもよい。本実施形態において、電圧計７２０が上記の（ｉ）及び（ｉｉ）の両方を測定する場合について説明する。しかしながら、電圧計７２０は本実施形態に限定されない。
【００８８】
制御部７３０は、電圧変換アダプタ６００の各部を制御する。例えば、制御部７３０は、４入力３出力スイッチ７４０を制御する。制御部７３０は、電圧計７２０の測定結果に基づいて、出力端子７１１及び第２出力端子の間の電圧が予め定められた条件を満足するように、４入力３出力スイッチ７４０を制御してよい。
【００８９】
予め定められた条件は、電圧変換アダプタ６００の出力電圧の最大値が、電源プラグ６２の出力電圧又は電源プラグ６４の出力電圧の最大値よりも大きいという条件を含んでよい。予め定められた条件の他の例としては、電圧変換アダプタ６００の出力電圧の最大値が、電源プラグ６２の出力電圧及び電源プラグ６４の出力電圧の最大値よりも大きいという条件、電圧変換アダプタ６００の出力電圧の最大値が特定の範囲内であるという条件、電圧変換アダプタ６００の出力電圧の波形が正弦波又は余弦波であるという条件などを例示することができる。
【００９０】
決定部７３２は、例えば、入力端子７０１、入力端子７０２、入力端子７０３及び入力端子７０４の中から、出力端子７１１に接続される入力端子と、出力端子７１２に接続される入力端子とを決定する。決定部７３２は、さらに、出力端子７１３に接続される入力端子を決定してもよい。
【００９１】
信号生成部７３４は、決定部７３２の決定に従って４入力３出力スイッチ７４０を制御するための制御信号を生成する。信号生成部７３４は、生成された制御信号を４入力３出力スイッチ７４０に送信してよい。
【００９２】
［制御部７３０による制御の第１の例］
一実施形態において、電圧計７２０が、電圧変換アダプタ６００の出力電圧を測定している場合、決定部７３２は、電圧計７２０により測定された出力電圧を監視しながら、出力端子７１１及び出力端子７１２のそれぞれに接続する入力端子を決定する。決定部７３２は、４入力３出力スイッチ７４０を制御して、出力端子７１１及び出力端子７１２の接続先を順番に切り替えながら、電圧計７２０により測定された電圧変換アダプタ６００の出力電圧が、予め定められた条件を満足するような一対の入力端子を決定してよい。
【００９３】
例えば、プラグ差込口６１２に電源プラグ６２が挿入され、プラグ差込口６１４に電源プラグ６４が挿入された状態で、スタートボタン６３２が押下されると、決定部７３２は、まず、信号生成部７３４に対して、端子７５１及び端子７６１を接続し、端子７５４及び端子７６２を接続し、端子７５２及び端子７５３を端子７６３に接続するための制御信号を生成するように要求する。信号生成部７３４は、生成された制御信号を４入力３出力スイッチ７４０に送信する。４入力３出力スイッチ７４０は、制御信号に従って、入力側の４つの端子と、出力側の３つの端子の接続関係を切り替える。
【００９４】
次に、決定部７３２は、電圧計７２０から、電圧変換アダプタ６００の出力電圧の測定結果を受け取る。決定部７３２は、電圧変換アダプタ６００の出力電圧の測定結果が、上記の予め定められた条件を満足するか否かを判定する。予め定められた条件としては、出力電圧の最大値が１９５ボルト以上であるという条件、出力電圧の最大値が１９５ボルト以上２０５ボルト以下であるという条件などを例示することができる。
【００９５】
電圧変換アダプタ６００の出力電圧の測定結果が、上記の予め定められた条件を満足する場合、決定部７３２は、入力端子７０１及び入力端子７０４が、出力端子７１１及び出力端子７１２に接続されることを決定する。その後、決定部７３２は、例えば、表示部６４０に決定処理が完了したことを表示して、処理を終了する。
【００９６】
一方、電圧変換アダプタ６００の出力電圧の測定結果が、上記の予め定められた条件を満足しない場合、決定部７３２は、信号生成部７３４に対して、端子７５２及び端子７６１を接続し、端子７５４及び端子７６２を接続し、端子７５１及び端子７５３を端子７６３に接続するための制御信号を生成するように要求する。先ほどの場合と同様にして、決定部７３２は、電圧変換アダプタ６００の出力電圧の測定結果が、上記の予め定められた条件を満足するか否かを判定する。
【００９７】
決定部７３２は、電圧変換アダプタ６００の出力電圧の測定結果が、上記の予め定められた条件を満足するまで、上記の処理を繰り返す。このように、決定部７３２は、４入力３出力スイッチ７４０における接続関係の切り替え、出力電圧の測定及び測定結果の判定を繰り返すことで、入力端子７０１及び入力端子７０４が、出力端子７１１及び出力端子７１２に接続される一対の入力端子を決定することができる。
【００９８】
［制御部７３０による制御の第２の例］
他の実施形態において、電圧計７２０が、少なくとも、入力端子７０１及び入力端子７０３の間の電圧、入力端子７０１及び入力端子７０４の間の電圧、並びに、入力端子７０２及び入力端子７０３の間の電圧を測定している場合、決定部７３２は、電圧計７２０の測定結果に基づいて、電圧変換アダプタ６００の出力電圧の測定結果が上記の予め定められた条件を満足するような、一対の入力端子を決定する。信号生成部７３４は、決定部７３２により決定された一対の入力端子の一方を出力端子７１１と接続し、上記の一対の入力端子の他方を出力端子７１２と接続するための制御信号を生成する。
【００９９】
例えば、決定部７３２は、入力端子７０１及び入力端子７０３の間の電圧、入力端子７０１及び入力端子７０４の間の電圧、並びに、入力端子７０２及び入力端子７０３の間の電圧のそれぞれについて、上記の電圧変換アダプタ６００の出力電圧に関する条件を満足するか否かを判定する。上記の条件を満足する一対の入力端子が発見された場合、決定部７３２は、当該一対の入力端子と、出力端子７１１及び出力端子７１２とを接続することを決定する。一方、上記の条件を満足する一対の入力端子が発見されなかった場合、決定部７３２は、入力端子７０２及び入力端子７０４と、出力端子７１１及び出力端子７１２とを接続することを決定する。
【０１００】
他の実施形態において、決定部７３２は、入力端子７０１及び入力端子７０３の間の電圧、入力端子７０１及び入力端子７０４の間の電圧、入力端子７０２及び入力端子７０３の間の電圧、並びに、入力端子７０２及び入力端子７０３の間の電圧の中から、最も大きな電圧値を示す組み合わせを決定する。これにより、端子間電圧が最大となる一対の入力端子を決定することができる。決定部７３２は、上記の端子間電圧が最大となる一対の入力端子と、出力端子７１１及び出力端子７１２とを接続することを決定する。
【０１０１】
４入力３出力スイッチ７４０は、入力端子７０１、入力端子７０２、入力端子７０３及び入力端子７０４と、出力端子７１１及び出力端子７１２との接続関係を切り替える。例えば、４入力３出力スイッチ７４０は、入力端子７０１、入力端子７０２、入力端子７０３及び入力端子７０４の中から選択された２つの端子の一方と、出力端子７１１とを電気的に接続する。また、選択された２つの端子の他方と、出力端子７１２とを電気的に接続する。４入力３出力スイッチ７４０は、選択されなかった２つの入力端子と、出力端子７１３とを電気的に接続してもよい。４入力３出力スイッチ７４０は、アナログスイッチであってもよく、半導体スイッチであってもよい。
【０１０２】
本実施形態において、電圧変換アダプタ６００にプラグ差込口（レセプタクルと称される場合がある。）が配され、当該プラグ差込口に、電源取出口と電気的に接続された電源プラグが挿入される場合について説明した。しかしながら、電圧変換アダプタ６００は本実施形態に限定されない。他の実施形態において、電圧変換アダプタ６００に電源プラグが配され、当該電源プラグが、ケーブルを介して電源取出口と電気的に接続されたプラグ差込口に挿入されてもよい。
【０１０３】
本実施形態において、電圧変換アダプタ６００が、入力部６３０及び表示部６４０を備える場合について説明した。しかしながら、電圧変換アダプタ６００は本実施形態に限定されない。他の実施形態において、電圧変換アダプタ６００が、入力部６３０及び表示部６４０の少なくとも一方を備えなくてもよい。電圧変換アダプタ６００が、入力部６３０を備えない場合、制御部７３０は、プラグ差込口６１２及びプラグ差込口６１４に電源プラグが差し込まれたことを検知して、制御を開始してよい。制御部７３０は、電圧計７２０から取得した情報に基づいて、プラグ差込口６１２及びプラグ差込口６１４に電源プラグが差し込まれたことを検知してよい。
【０１０４】
本実施形態において、４入力３出力スイッチ７４０が制御部７３０の制御信号にもとづいて、接続関係を切り替える場合について説明した。しかしながら、電圧変換アダプタ６００は本実施形態に限定されない。他の実施形態において、電圧変換アダプタ６００は、４入力３出力スイッチ７４０の代わりに、４入力２出力スイッチを備えてよい。例えば、４入力２出力スイッチは、入力端子７０１、入力端子７０２、入力端子７０３及び入力端子７０４の中から選択された２つの端子の一方と、出力端子７１１とを電気的に接続する。また、選択された２つの端子の他方と、出力端子７１２とを電気的に接続する。出力端子７１３は、選択されなかった２つの入力端子と電気的に接続されなくてもよい。
【０１０５】
さらに他の実施形態において、４入力３出力スイッチ７４０は、手動式のスイッチであってもよい。この場合、ユーザは、表示部６４０に表示された情報を参考にして、４入力３出力スイッチ７４０の接続関係を切り替えてよい。なお、電圧変換アダプタ６００は、入力部６３０、表示部６４０、電圧計７２０及び制御部７３０を備えなくてもよい。この場合であっても、ユーザは、４入力３出力スイッチ７４０のスイッチを複数回切り替えることにより、正しい接続関係を見つけることができる。しかしながら、電圧変換アダプタ６００が、電圧計７２０、及び、電圧計７２０の測定結果を表示する表示部６４０を備えることにより、ユーザは、正しい接続関係を容易に見つけることができる。
【０１０６】
図８は、４入力３出力スイッチ７４０のシステム構成の一例を概略的に示す。本実施形態において、４入力３出力スイッチ７４０は、２つの２入力２出力スイッチにより構成される。本実施形態において、４入力３出力スイッチ７４０は、四路スイッチ８４２と、四路スイッチ８４４とを備える。四路スイッチ８４２は、端子７６１と、端子７５１及び端子７５２の一方とを電気的に接続し、端子７６３と、端子７５１及び端子７５２の他方とを電気的に接続する。四路スイッチ８４４は、端子７６２と、端子７５３及び端子７５４の一方とを電気的に接続し、端子７６３と、端子７５３及び端子７５４の他方とを電気的に接続する。
【０１０７】
図９は、４入力２出力スイッチ９４０のシステム構成の一例を概略的に示す。４入力２出力スイッチ９４０は、多入力多出力スイッチの一例であってよい。なお、図６及び図７においては、電圧変換アダプタ６００が出力端子７１３を備える場合について説明した。しかしながら、電圧変換アダプタ６００が４入力２出力スイッチ９４０を備える場合、電圧変換アダプタ６００は出力端子７１３を備えなくてもよい。
【０１０８】
本実施形態において、４入力２出力スイッチ９４０は、２つの２入力１出力スイッチにより構成される。本実施形態において、４入力２出力スイッチ９４０は、三路スイッチ９４２と、三路スイッチ９４４とを備える。三路スイッチ９４２は、端子７６１と、端子７５１及び端子７５２の一方とを電気的に接続する。三路スイッチ９４４は、端子７６２と、端子７５３及び端子７５４の一方とを電気的に接続する。
【０１０９】
図１０は、電圧変換アダプタ１０００のシステム構成の一例を概略的に示す。電圧変換アダプタ１０００は、４入力３出力スイッチ７４０を備えず、制御部１０３０が４入力３出力スイッチ７４０を制御しない点で、電圧変換アダプタ６００と相違する。
【０１１０】
電圧変換アダプタ１０００は、入力端子７０１及び入力端子７０２を有するプラグ差込口１０１２が、電源プラグがプラグ差込口１０１２に挿入された状態で、電源プラグの一対の端子及びプラグ差込口１０１２の相対位置の変化を可能とするように構成されている点で、電圧変換アダプタ６００と相違する。プラグ差込口１０１２は、電源プラグを摺動可能又は回転可能に保持してよい。
【０１１１】
電圧変換アダプタ１０００は、入力端子７０３及び入力端子７０４を有するプラグ差込口１０１４が、電源プラグがプラグ差込口１０１４に挿入された状態で、電源プラグの一対の端子及びプラグ差込口１０１４の相対位置の変化を可能とするように構成されている点で、電圧変換アダプタ６００と相違する。プラグ差込口１０１２は、電源プラグを摺動可能又は回転可能に保持してよい。上記の相違点以外の点については、電圧変換アダプタ６００と同様の構成を有してよい。
【０１１２】
本実施形態において、入力端子７０１は、出力端子７１１と電気的に接続される。入力端子７０２は、出力端子７１３と電気的に接続される。入力端子７０３は、出力端子７１３と電気的に接続される。入力端子７０４は、出力端子７１２と電気的に接続される。本実施形態において、電圧計７２０は、入力端子７０１又は出力端子７１１と、入力端子７０４又は出力端子７１２との間の電圧を測定する。
【０１１３】
例えば、電源プラグ６２の特定の領域がプラグ差込口１０１２の第１の位置に配されるように、プラグ差込口１０１２が電源プラグ６２を保持している場合、電源プラグ６２の一対の端子の一方と入力端子７０１とが接続され、電源プラグ６２の一対の端子の他方と入力端子７０２とが接続される。一方、電源プラグ６２の特定の領域がプラグ差込口１０１２の第２の位置に配されるように、プラグ差込口１０１２が電源プラグ６２を保持している場合、電源プラグ６２の一対の端子の他方と入力端子７０１とが接続され、電源プラグ６２の一対の端子の一方と入力端子７０２とが接続される。なお、第２の位置は、第１の位置とは異なる位置である。
【０１１４】
同様に、電源プラグ６４の特定の領域がプラグ差込口１０１４の第１の位置に配されるように、プラグ差込口１０１４が電源プラグ６４を保持している場合、電源プラグ６４の一対の端子の一方と入力端子７０４とが接続され、電源プラグ６４の一対の端子の他方と入力端子７０３とが接続される。一方、電源プラグ６４の特定の領域がプラグ差込口１０１４の第２の位置に配されるように、プラグ差込口１０１４が電源プラグ６４を保持している場合、電源プラグ６４の一対の端子の他方と入力端子７０４とが接続され、電源プラグ６２の一対の端子の一方と入力端子７０３とが接続される。なお、第２の位置は、第１の位置とは異なる位置である。
【０１１５】
図１１は、プラグ差込口１０１２の外観の一例を概略的に示す。なお、プラグ差込口１０１４は、プラグ差込口１０１２と同様の構造を有してもよい。本実施形態において、プラグ差込口１０１２は、カバー１１３０を有する。カバー１１３０には、ドーナツ状の開口１１３２が形成されている。プラグ差込口１０１２は、開口１１３２の内部に、プラグ保持部１１０１、プラグ保持部１１０２、プラグ保持部１１２１及びプラグ保持部１１２２を有する。
【０１１６】
プラグ保持部１１０１及びプラグ保持部１１２１は、電源プラグ６２の端子１１６２を保持する。プラグ保持部１１０１及びプラグ保持部１１２１は、刃受けばねの一部を構成してよい。プラグ保持部１１０１及びプラグ保持部１１２１の少なくとも一方は、導電性材料により構成されて入力端子７０１として機能してもよく、入力端子７０１として機能する導電性の部材を保持していてもよい。
【０１１７】
プラグ保持部１１０２及びプラグ保持部１１２２は、電源プラグ６２の端子１１６４を保持する。プラグ保持部１１０２及びプラグ保持部１１２２は、刃受けばねの一部を構成してよい。プラグ保持部１１０２及びプラグ保持部１１２２の少なくとも一方は、導電性材料により構成されて入力端子７０２として機能してもよく、入力端子７０２として機能する導電性の部材を保持していてもよい。
【０１１８】
これにより、電源プラグ６２の端子１１６２及び端子１１６４が開口１１３２に挿入された状態で、電源プラグ６２を回転させることができる。例えば、電源プラグ６２に付されたマーク１１８６が、カバー１１３０に付されたマーク１１８２と対向する位置に配されている場合、電源プラグ６２の端子１１６２は、入力端子７０１に相当する部材（例えば、プラグ保持部１１０１及びプラグ保持部１１２１の少なくとも一方）に接続される。
【０１１９】
一方、電源プラグ６２に付されたマーク１１８６が、カバー１１３０に付されたマーク１１８４と対向する位置に配されている場合、電源プラグ６２の端子１１６２は、入力端子７０２に相当する部材（例えば、プラグ保持部１１０２及びプラグ保持部１１２２の少なくとも一方である。）接続される。マーク１１８６は、電源プラグ６２の特定の領域の一例であってよい。マーク１１８２は、プラグ差込口１０１２の第１の位置の一例であってよい。マーク１１８４は、プラグ差込口１０１２の第２の位置の一例であってよい。
【０１２０】
図１２は、プラグ差込口１２１２の外観の一例を概略的に示す。なお、プラグ差込口１０１４は、プラグ差込口１２１２と同様の構造を有してもよい。本実施形態において、プラグ差込口１２１２は、電源プラグ６２を９０度回転させることで、端子１１６２及び端子１１６４と、入力端子７０１及び入力端子７０２との接続関係を切り替える点で、プラグ差込口１０１２と相違する。それ以外の点については、プラグ差込口１０１２と同様の構成を有してよい。
【０１２１】
本実施形態において、カバー１１３０には、９０度の円弧上の開口１２３２及び開口１２３４が形成されている。プラグ差込口１２１２は、開口１２３２の内部に、プラグ保持部１１０１、プラグ保持部１１２１、プラグ保持部１２０２及びプラグ保持部１２２２を有する。プラグ差込口１２１２は、開口１２３４の内部に、プラグ保持部１１０２、プラグ保持部１１２２、プラグ保持部１２０１及びプラグ保持部１２２１を有する。
【０１２２】
本実施形態において、プラグ保持部１２０１及びプラグ保持部１２２１は、プラグ保持部１１０１及びプラグ保持部１１２１と同様の構成を有してよく、入力端子７０１として機能する。プラグ保持部１２０２及びプラグ保持部１２２２は、プラグ保持部１１０２及びプラグ保持部１１２２と同様の構成を有してよく、入力端子７０２として機能する。
【０１２３】
図１３は、プラグ差込口１３１２の外観の一例を概略的に示す。なお、プラグ差込口１０１４は、プラグ差込口１３１２と同様の構造を有してもよい。本実施形態において、プラグ差込口１３１２は、電源プラグ６２をスライドさせることで、端子１１６２及び端子１１６４と、入力端子７０１及び入力端子７０２との接続関係を切り替える点で、プラグ差込口１０１２及びプラグ差込口１２１２と相違する。それ以外の点については、プラグ差込口１０１２又はプラグ差込口１２１２と同様の構成を有してよい。
【０１２４】
本実施形態において、カバー１１３０には、長方形の開口１３３２及び開口１３３４が形成されている。プラグ差込口１３１２は、開口１３３２の内部に、プラグ保持部１１０１、プラグ保持部１１２１、プラグ保持部１３０２及びプラグ保持部１３２２を有する。プラグ差込口１３１２は、開口１３３４の内部に、プラグ保持部１１０２、プラグ保持部１１２２、プラグ保持部１３０１及びプラグ保持部１３２１を有する。
【０１２５】
プラグ保持部１３０１及びプラグ保持部１３２１は、プラグ保持部１１０１又はプラグ保持部１１２１と同様の構成を有してよく、入力端子７０１として機能する。プラグ保持部１３０２及びプラグ保持部１３２２は、プラグ保持部１１０２又はプラグ保持部１１２２と同様の構成を有してよく、入力端子７０２として機能する。
【０１２６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。また、技術的に矛盾しない範囲において、特定の実施形態について説明した事項を、他の実施形態に適用することができる。その様な変更または改良を加えた形態も本発明の技術的範囲に含まれ得ることが、特許請求の範囲の記載から明らかである。
【０１２７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【０１２８】
また、本明細書には、下記の事項が開示されている。
［項目１］
電源取出口と接続される一対の端子を有する第１接続部、
上記第１接続部が接続されている電源取出口から出力される電圧を、少なくとも予め定められた期間に渡って測定する第１電圧測定部、及び、
外部の機器との通信を制御する第１通信制御部、
を有する第１電圧測定装置と、
電源取出口と接続される一対の端子を有する第２接続部、
上記第２接続部が接続されている電源取出口から出力される電圧を、少なくとも予め定められた期間に渡って測定する第２電圧測定部、
外部の機器との通信を制御する第２通信制御部、
上記第１通信制御部及び上記第２通信制御部を介して、上記第１電圧測定部が測定した電圧を取得する取得部、及び、
上記第１電圧測定部が測定した電圧、及び、上記第２電圧測定部が測定した電圧の位相差が予め定められた値よりも大きいか否かを判定する判定部、
を有する第２電圧測定装置と、
を備えた、判定システム。
［項目２］
上記第１電圧測定装置は、上記第１電圧測定部が測定した電圧の値と、当該電圧が測定された時刻とを対応付けて格納する第１格納部をさらに有し、
上記第２電圧測定装置は、上記第２電圧測定部が測定した電圧の値と、当該電圧が測定された時刻とを対応付けて格納する第２格納部をさらに有し、
上記取得部は、上記第１格納部に格納された、上記電圧の値及び上記時刻が対応付けられた情報を取得し、
上記判定部は、上記取得部が取得した情報と、上記第２格納部に格納された、上記電圧の値及び上記時刻が対応づけられた情報とに基づいて、上記第１電圧測定部が測定した電圧、及び、上記第２電圧測定部が測定した電圧の位相差が予め定められた値よりも大きいか否かを判定する、
項目１に記載の判定システム。
［項目３］
上記第１電圧測定装置は、上記第１接続部が接続されている電源取出口の識別情報を入力する入力部をさらに有し、
上記第１格納部は、上記第１電圧測定部が測定した電圧の値と、当該電圧が測定された時刻と、当該電圧が測定された時に上記第１接続部が接続されていた電源取出口の識別情報とを対応付けて格納し、
上記取得部は、上記第１格納部に格納された、上記電圧の値、上記時刻及び上記識別情報が対応付けられた情報を取得し、
上記判定部は、上記取得部が取得した情報に含まれる１以上の上記識別情報により識別される１以上の電源取出口のそれぞれについて、他の電源取出口との間の出力電圧の位相差が予め定められた値よりも大きいか否かを判定する、
項目２に記載の判定システム。
［項目４］
上記第２電圧測定装置は、上記第２接続部が接続されている電源取出口の識別情報を入力する入力部をさらに有し、
上記第２格納部は、上記第２電圧測定部が測定した電圧の値と、当該電圧が測定された時刻と、当該電圧が測定された時に上記第２接続部が接続されていた電源取出口の識別情報とを対応付けて格納し、
上記判定部は、上記第２格納部に格納された情報に含まれる１以上の上記識別情報により識別される１以上の電源取出口のそれぞれについて、上記第１電圧測定部が測定した電圧、及び、上記第２電圧測定部が測定した電圧の位相差が予め定められた値よりも大きいか否かを判定する、
項目２に記載の判定システム。
［項目５］
上記第２電圧測定装置は、上記判定部による判定結果を出力する出力部をさらに有する、
項目１から項目４までの何れか一項に記載の判定システム。
［項目６］
上記第１電圧測定装置は、時刻を測定する第１時刻測定部をさらに有し、
上記第２電圧測定装置は、時刻を測定する第２時刻測定部をさらに有し、
上記第１時刻測定部及び上記第２時刻測定部は、上記第１電圧測定部及び上記第２電圧測定部が測定を開始する前に、時刻合わせ処理を実行する、
項目１から項目５までの何れか一項に記載の判定システム。
［項目７］
電源取出口と接続される一対の端子を有する電源接続部と、
上記電源接続部が接続されている電源取出口から出力される電圧を測定する電圧測定部と、
上記電圧測定部が測定した電圧の値と、当該電圧が測定された時刻とを対応付けて格納する格納部と、
上記電源接続部、上記電圧測定部及び上記格納部を収容する筐体と、
を備えた、
電圧測定装置。
【符号の説明】
【０１２９】
６２  電源プラグ、６４  電源プラグ、６６  電源プラグ、１００  家庭内配電システム、１１０  配電線、１１２  電圧線、１１４  電圧線、１１６  中性線、１２０  配電線、１２２  電源取出口、１２４  電源取出口、１３０  配電線、１３２  電源取出口、１４０  配電線、１４２  電源取出口、２００  位相判定システム、２０２  親機、２０４  子機、２１０  電源プラグ、２１２  端子、２１４  端子、２２０  電圧計、２３０  タイマ、２４０  入力部、２５０  記憶部、２６０  通信制御部、３１０  子機情報取得部、３２０  判定部、３３０  表示部、４００  データテーブル、４０２  設置場所、４０４  測定時刻、４０６  電圧値、５００  位相判定システム、５０２  判定装置、６００  電圧変換アダプタ、６１２  プラグ差込口、６１４  プラグ差込口、６１６  プラグ差込口、６２０  プラグ差込口、６３０  入力部、６３２  スタートボタン、６３４  設定ボタン、６４０  表示部、７０１  入力端子、７０２  入力端子、７０３  入力端子、７０４  入力端子、７０５  入力端子、７０６  入力端子、７０７  入力端子、７１１  出力端子、７１２  出力端子、７１３  出力端子、７２０  電圧計、７３０  制御部、７３２  決定部、７３４  信号生成部、７４０  ４入力３出力スイッチ、７５１  端子、７５２  端子、７５３  端子、７５４  端子、７６１  端子、７６２  端子、７６３  端子、８４２  四路スイッチ、８４４  四路スイッチ、９４０  ４入力２出力スイッチ、９４２  三路スイッチ、９４４  三路スイッチ、１０００  電圧変換アダプタ、１０１２  プラグ差込口、１０１４  プラグ差込口、１０３０  制御部、１１０１  プラグ保持部、１１０２  プラグ保持部、１１２１  プラグ保持部、１１２２  プラグ保持部、１１３０  カバー、１１３２  開口、１１６２  端子、１１６４  端子、１１８２  マーク、１１８４  マーク、１１８６  マーク、１２０１  プラグ保持部、１２０２  プラグ保持部、１２１２  プラグ差込口、１２２１  プラグ保持部、１２２２  プラグ保持部、１２３２  開口、１２３４  開口、１３０１  プラグ保持部、１３０２  プラグ保持部、１３１２  プラグ差込口、１３２１  プラグ保持部、１３２２  プラグ保持部、１３３２  開口、１３３４  開口
【図１】
0006510366.tif 000002
【図２】
0006510366.tif 000003
【図３】
0006510366.tif 000004
【図４】
0006510366.tif 000005
【図５】
0006510366.tif 000006
【図６】
0006510366.tif 000007
【図７】
0006510366.tif 000008
【図８】
0006510366.tif 000009
【図９】
0006510366.tif 000010
【図１０】
0006510366.tif 000011
【図１１】
0006510366.tif 000012
【図１２】
0006510366.tif 000013
【図１３】
0006510366.tif 000014